(57)【要約】【課題】ウェブ折り畳み装置及び輪転印刷機において、折帳における幅方向の全域にわたって挙動を安定させることで端折れを抑制可能とする。【解決手段】回転可能な折胴２３に対して、ウェブＷを裁断する鋸胴２４を設けると共に、ウェブＷを挟持して折帳Ｓを形成する一対の折込ローラ３９ａ，３９ｂを設け、折胴２３の外周面に、折帳Ｓの袋側からペラ側に向けて軸方向に沿って所定の長さを有する外周面よりも凹んだ第１ガイド面５１を設けると共に、折帳Ｓのペラ側に周方向に沿って均一な円弧形状をなす第２ガイド面５２を第１ガイド面５１に軸方向に連続して設ける。【選択図】      図１
2008019090.tif 000002
【特許請求の範囲】
【請求項１】
回転可能な折胴と、該折胴と協働してウェブを裁断する鋸胴と、前記折胴より下流側に設けられてウェブを挟持して折帳を形成する一対の折込ローラとを具えたウェブ折り畳み装置において、前記折胴に、折帳の袋側からペラ側に向けて軸方向に沿って所定の長さを有する外周面よりも凹んだ第１ガイド面が設けられたことを特徴とするウェブ折り畳み装置。
【請求項２】
請求項１に記載のウェブ折り畳み装置において、前記折胴における折帳のペラ側に、周方向に沿って均一な円弧形状をなす第２ガイド面が、前記第１ガイド面に軸方向に連続して設けられたことを特徴とするウェブ折り畳み装置。
【請求項３】
請求項１に記載のウェブ折り畳み装置において、前記折胴における折帳のペラ側に、外周面よりも突出した第３ガイド面が、前記第１ガイド面に軸方向に連続して設けられたことを特徴とするウェブ折り畳み装置。
【請求項４】
請求項２または３に記載のウェブ折り畳み装置において、前記第１ガイド面と前記第２ガイド面、または、前記第１ガイド面と前記第３ガイド面は、軸方向に沿って滑らかに連続することを特徴とするウェブ折り畳み装置。
【請求項５】
請求項１から４のいずれか一つに記載のウェブ折り畳み装置において、前記一対の折込ローラにおける軸方向両端側の外周面に、前記折胴の外周面との距離を大きくして折帳の移送方向の後端部のばたつきを抑制する切欠部が設けられると共に、前記折込ローラにおける折帳のペラ側に位置する前記切欠部に、前記折胴の外周面との距離を小さくする第４ガイド面が設けられたことを特徴とするウェブ折り畳み装置。
【請求項６】
請求項２から５のいずれか一つに記載のウェブ折り畳み装置において、前記折胴に軸方向に沿って溝部が形成され、該溝部における折帳の袋側から中央部にかけて前記第１ガイド面を有する第１ブロック体が固定される一方、前記溝部における折帳のペラ側に前記第２ガイド面を有する第２ブロック体または前記第３ガイド面を有する第３ブロック体が固定されたことを特徴とするウェブ折り畳み装置。
【請求項７】
巻取紙からウェブを供給する給紙装置と、該給紙装置から繰り出されたウェブに印刷を行う印刷ユニットと、該印刷ユニットにより印刷が施された複数のウェブを重ねて裁断して折り曲げることで折帳を形成する折機とを具えた輪転印刷機において、前記折機は、回転可能な折胴と、該折胴と協働してウェブを裁断する鋸胴と、前記折胴より下流側に設けられてウェブを挟持して折帳を形成する一対の折込ローラとを有し、前記折胴に、折帳の袋側からペラ側に向けて軸方向に沿って所定の長さを有する外周面よりも凹んだ第１ガイド面が設けられたことを特徴とする輪転印刷機。
【発明の詳細な説明】
【技術分野】
【０００１】
本発明は、裁断されたウェブを一対の折込ローラにより挟持して折帳を形成するウェブ折り畳み装置、並びに、このウェブ折り畳み装置が適用された輪転印刷機に関するものである。
【背景技術】
【０００２】
一般的な新聞用オフセット輪転印刷機は、複数の給紙装置と、複数の印刷ユニットと、ターンバー装置と、折機とから構成されており、各給紙装置から印刷ユニットにウェブが供給されると、各ウェブＷに対して印刷が施され、ターンバー装置で多数のウェブの走行ルートが変更されてから所定の順番に重ね合わされた後、折機にて、ウェブが縦折りされてから所定の長さで横裁断され、横折されることで折帳が形成され、排紙される。
【０００３】
このような新聞用オフセット輪転印刷機における折機は、縦折りを行う三角板の下方に鋸胴と折胴が対向して配設されると共に、折胴の下方に一対の折込ローラが設けられ、この折込ローラの下方に折帳を排紙する羽根車が設けられて構成されている。この鋸胴は、外周部に鋸刃が装着される一方、折胴は、外周部にこの鋸刃を受け止める鋸刃受が装着されている。また、折胴は、外周部に針装置と折ブレードが周方向に所定の間隔で設けられている。
【０００４】
従って、所定の順番に重ね合わせられた複数のウェブは、三角板により縦折りが施された後、各種ローラにより折胴に送られると、まず、所定の位置で針装置によりその先端部が保持され、この状態で折胴が所定角度回転すると、次に、鋸刃と鋸刃受が一致してこの鋸刃によりウェブＷが所定の長さで横裁断されると共に、針装置によるウェブの保持が解除される。続いて、折胴の折ブレードが回動して先端部が折胴の周面から突出し、ウェブを折胴の周面から引き剥がす。このとき、折胴の回転に対して折ブレードが逆方向に回転すると、ブレード本体が折胴の周面から外方に突出し、先端部がウェブの送り方向の中間部に当接して押し出すことで、このウェブを折胴の周面から引き剥がすことができる。すると、一対の折込ローラが折胴の周面から引き剥がされたウェブを挟持することで折帳が形成され、この折帳は羽根車により順次受取られて排紙される。
【０００５】
ところで、針装置で保持されたウェブの先端部は、一旦折込ローラの上方を通過した後に針装置から解放されるが、その中央から折ブレードにより押し込まれるため、この折込みローラ側に引き戻されることとなり、自由端となる先端部にばたつきが発生するおそれがある。この場合、一対の折込ローラは、折れた状態や皺の付いた状態で折張を巻き込んで狭持し、端折れや皺のある折帳として排出してしまう。また、針装置で保持されたウェブの後端部は、折胴の回転と同じ方向に移動するため、特に、自由端となる後端部が一対の折込ローラを通過する前に、ウェブの慣性と折胴や折込みローラの回転による空気流に影響されてウェブの先端部右側に流されやすい。そのため、ウェブの後端部が折れた状態で一対の折込ローラ間を通過することにより、端折れが発生し易い。
【０００６】
このような問題を解決するものとして、例えば、下記特許文献１に記載されたものがある。この特許文献１に記載されたウェブ折り畳み装置は、折胴の周面における折ブレードの折胴回転方向の上流側にこの折胴の軸方向にわたって凹部を形成することで、この凹部により折込ローラの上部周辺のスペースを広くして空気乱流を抑制すると共に、ウェブ後端部が凹部内に入り込んでウェブ後端部の挙動を安定し、折込ローラの相互間を通過する直前のウェブ後端部のばたつきを防止して端折れを防止するものである。
【０００７】
【特許文献１】特開２００５−２８９５５０号公報
【発明の開示】
【発明が解決しようとする課題】
【０００８】
ところで、輪転印刷機の折機で形成される折帳は、複数枚のウェブが重ねられた状態で形成されるものであり、折機から一対の折込ローラに渡される多数重ねられて縦折されたウェブは、移送方向における一側部が折られた袋状をなし、他側部はペラ状となっている。そのため、上述した従来のウェブ折り畳み装置のように、折胴の周面に軸方向にわたって凹部を形成すると、ウェブの袋側では、折胴の凹部によりこのウェブの後端部を凹部内でガイドしてスムースに折込ローラに渡すことができるものの、ウェブのペラ側では、折込ローラの上部周辺のスペースが広いためにかえってウェブ後端部の挙動が大きくなり、ばたつきが助長されてしまい、端折れが発生してしまうおそれがある。
【０００９】
本発明は上述した課題を解決するものであり、折帳における幅方向の全域にわたって挙動を安定させることで端折れを抑制可能としたウェブ折り畳み装置及び輪転印刷機を提供することを目的とする。
【課題を解決するための手段】
【００１０】
上記の目的を達成するための請求項１の発明のウェブ折り畳み装置は、回転可能な折胴と、該折胴と協働してウェブを裁断する鋸胴と、前記折胴より下流側に設けられてウェブを挟持して折帳を形成する一対の折込ローラとを具えたウェブ折り畳み装置において、前記折胴に、折帳の袋側からペラ側に向けて軸方向に沿って所定の長さを有する外周面よりも凹んだ第１ガイド面が設けられたことを特徴とするものである。
【００１１】
請求項２の発明のウェブ折り畳み装置では、前記折胴における折帳のペラ側に、周方向に沿って均一な円弧形状をなす第２ガイド面が、前記第１ガイド面に軸方向に連続して設けられたことを特徴としている。
【００１２】
請求項３の発明のウェブ折り畳み装置では、前記折胴における折帳のペラ側に、外周面よりも突出した第３ガイド面が、前記第１ガイド面に軸方向に連続して設けられたことを特徴としている。
【００１３】
請求項４の発明のウェブ折り畳み装置では、前記第１ガイド面と前記第２ガイド面、または、前記第１ガイド面と前記第３ガイド面は、軸方向に沿って滑らかに連続することを特徴としている。
【００１４】
請求項５の発明のウェブ折り畳み装置では、前記一対の折込ローラにおける軸方向両端側の外周面に、前記折胴の外周面との距離を大きくして折帳の移送方向の後端部のばたつきを抑制する切欠部が設けられると共に、前記折込ローラにおける折帳のペラ側に位置する前記切欠部に、前記折胴の外周面との距離を小さくする第４ガイド面が設けられたことを特徴としている。
【００１５】
請求項６の発明のウェブ折り畳み装置では、前記折胴に軸方向に沿って溝部が形成され、該溝部における折帳の袋側から中央部にかけて前記第１ガイド面を有する第１ブロック体が固定される一方、前記溝部における折帳のペラ側に前記第２ガイド面を有する第２ブロック体または前記第３ガイド面を有する第３ブロック体が固定されたことを特徴としている。
【００１６】
請求項７の発明の輪転印刷機は、巻取紙からウェブを供給する複数の給紙装置と、該給紙装置から繰り出されたウェブに印刷を行う複数の印刷ユニットと、該複数の印刷ユニットにより印刷が施されて重ねられた複数のウェブを裁断して折り曲げることで折帳を形成する折機とを備えた輪転印刷機において、前記折機は、回転可能な折胴と、該折胴と協働してウェブを裁断する鋸胴と、前記折胴より下流側に設けられてウェブを挟持して折帳を形成する一対の折込ローラとを有し、前記折胴に、折帳の袋側からペラ側に向けて軸方向に沿って所定の長さを有する外周面よりも凹んだ第１ガイド面が設けられたことを特徴とするものである。
【発明の効果】
【００１７】
請求項１の発明のウェブ折り畳み装置によれば、回転可能な折胴と、ウェブを裁断する鋸胴と、ウェブを挟持して折帳を形成する一対の折込ローラとを設け、この折胴に、折帳の袋側からペラ側に向けて軸方向に沿って所定の長さを有する外周面よりも凹んだ第１ガイド面を設けたので、ウェブが折胴から一対の折込ローラに受け渡されて折帳が形成されるとき、このウェブの後端部における袋側は、第１ガイド面により折込ローラの上方スペースが広くなっているために空気乱流が抑制されると共に、折帳の後端部が凹んだ第１ガイド面内に入り込んでガイドされるために挙動が安定し、一方、折帳の後端部におけるペラ側は、折込ローラの上方スペースが広くなっていないために折帳の後端部が折胴の外周面により確実にガイドされてばたつきが防止され、折帳の後端部の端折れを防止することができる。
【００１８】
請求項２の発明のウェブ折り畳み装置によれば、折胴における折帳のペラ側に、周方向に沿って均一な円弧形状をなす第２ガイド面を第１ガイド面に軸方向に連続して設けたので、ウェブが折胴から一対の折込ローラに受け渡されて折帳が形成されるとき、この折帳の後端部におけるペラ側は、周方向に均一な円弧形状をなす第２ガイド面により確実にガイドされることで、折帳の後端部のばたつきが防止され、折帳の後端部の端折れを確実に防止することができる。
【００１９】
請求項３の発明のウェブ折り畳み装置によれば、折胴における折帳のペラ側に、外周面よりも突出した第３ガイド面を第１ガイド面に軸方向に連続して設けたので、ウェブが折胴から一対の折込ローラに受け渡されて折帳が形成されるとき、この折帳の後端部におけるペラ側は、第３ガイド面により折込ローラの上方スペースが狭くなっているために折帳の後端部を適正に支持してそのばたつきが防止され、折帳の後端部の端折れを確実に防止することができる。
【００２０】
請求項４の発明のウェブ折り畳み装置によれば、第１ガイド面と第２ガイド面、または、第１ガイド面と第３ガイド面を軸方向に沿って滑らかに連続したので、折胴の外周面に軸方向に沿って段差がなくなり、折帳を安定して支持することができる。
【００２１】
請求項５の発明のウェブ折り畳み装置によれば、一対の折込ローラにおける軸方向両端側の外周面に、折胴の外周面との距離を大きくして折帳の移送方向の後端部のばたつきを抑制する切欠部を設けると共に、折込ローラにおける折帳のペラ側に位置する切欠部に、折胴の外周面との距離を小さくする第４ガイド面を設けたので、ウェブが折胴から一対の折込ローラに受け渡されて折帳が形成されるとき、一対の折込ローラに形成された切欠部により折帳の後端部のばたつきを抑制することができると共に、第４ガイド面により折込ローラの上方スペースを最適なものとすることができ、折帳の後端部を適正に支持してそのばたつきが防止され、折帳の後端部の端折れを確実に防止することができる。
【００２２】
請求項６の発明のウェブ折り畳み装置によれば、折胴に軸方向に沿って溝部を形成し、この溝部における折帳の袋側から中央部にかけて第１ガイド面を有する第１ブロック体を固定する一方、溝部における折帳のペラ側に第２ガイド面を有する第２ブロック体または第３ガイド面を有する第３ブロック体を固定したので、折胴に溝部を形成し、この溝部に複数のブロック体を固定することで、折胴の外周面に第１ガイド面、第２ガイド面または第３ガイド面を容易に形成することができ、製作性を向上することができる。
【００２３】
請求項７の発明の輪転印刷機によれば、給紙装置と複数の印刷ユニットと折機とで構成し、この折機を折胴と鋸胴と折込ローラとで構成し、折胴に折帳の袋側からペラ側に向けて軸方向に沿って所定の長さを有する外周面よりも凹んだ第１ガイド面を設けたので、ウェブが折胴から一対の折込ローラに受け渡されて折帳が形成されるとき、この折帳の後端部における袋側は、第１ガイド面により折込ローラの上方スペースが広くなっているために空気乱流が抑制されると共に、折帳の後端部が凹んだ第１ガイド面内に入り込んでガイドされるために挙動が安定し、一方、折帳の後端部におけるペラ側は、折込ローラの上方スペースが広くなっていないために折帳の後端部が折胴の外周面により確実にガイドされてばたつきが防止され、折帳の後端部の端折れを確実に防止することができ、印刷品質を向上することができる。
【発明を実施するための最良の形態】
【００２４】
以下に添付図面を参照して、本発明に係るウェブ折り畳み装置及び輪転印刷機の好適な実施例を詳細に説明する。なお、この実施例により本発明が限定されるものではない。
【実施例１】
【００２５】
図１は、本発明の実施例１に係るウェブ折り畳み装置における折胴と折込ロールの関係を表す概略図、図２は、実施例１のウェブ折り畳み装置における折胴の概略斜視図、図３は、図２のIII−III断面図、図４は、図２のIV−IV断面図、図５は、実施例１のウェブ折り畳み装置における折込ロールの概略斜視図、図６は、実施例１のウェブ折り畳み装置における折胴と折込ロールとの距離を説明するための概略図、図７−１及び図７−２は、実施例１のウェブ折り畳み装置におけるウェブの袋側後端部の挙動を表す概略図、図８−１及び図８−２は、実施例１のウェブ折り畳み装置におけるウェブのペラ側後端部の挙動を表す概略図、図９は、実施例１のウェブ折り畳み装置が適用された新聞用オフセット輪転印刷機を表す概略図、図１０は、実施例１のウェブ折り畳み装置を表す概略図、図１１は、実施例１のウェブ折り畳み装置の要部を表す概略図である。
【００２６】
実施例１において、図９に示すように、輪転印刷機として適用された新聞用オフセット輪転印刷機１０は、複数の給紙装置１１と、複数の印刷ユニット１２と、ターンバー装置１３と、折機（ウェブ折り畳み装置）１４とから構成されている。そして、各給紙装置１１には、それぞれウェブＷがロール状に巻かれた３つの巻取紙Ｒを保持する保持アーム１５が設けられ、この保持アーム１５を回動することで、巻取紙Ｒを給紙位置に回動することができる。また、この各給紙装置１１には、図示しない紙継装置が設けられており、給紙位置で繰り出されている巻取紙Ｒが残り少なくなると、この紙継装置により給紙位置にある巻取紙Ｒに対して、待機位置にある巻取紙Ｒを紙継することができる。
【００２７】
また、印刷ユニット１２には、両面４色印刷を行う多色刷印刷ユニットと１６と、両面２色印刷を行う２色刷印刷ユニットと１７とが設けられている。この多色刷印刷ユニットと１６及び２色刷印刷ユニットは、各給紙装置１１から供給されたウェブＷに対して所定の印刷を行うことができる。なお、本実施例では、印刷ユニット１２を、多色刷印刷ユニットと１６と２色刷印刷ユニット１７により構成したが、この構成に限定されるものではない。例えば、両面単色印刷を行う両面単色刷ユニット、一面４色または２色印刷を行う多色刷印刷ユニットなど印刷物に応じて適宜各種ユニットを組み合わせて使用すればよい。
【００２８】
また、ターンバー装置１３には、図示しない多数のターンバーが設けられており、各印刷ユニットと１６，１７から送り出された各ウェブＷの走行ルートを変更し、所定の順番に重ね合わせることができる。折機１４は、ターンバー装置１３から送り出された複数のウェブＷを重ねて縦折りし、所定の長さで横裁断し、更に横折りして所望の折帳を形成した後に排紙するものである。
【００２９】
この折機１４について詳細に説明すると、図１０に示すように、最上部には、上述したターンバー装置１３で所定の順番に重ねられたウェブＷを下方に搬入するドラグローラ２１が設けられると共に、縦折りを行う三角板２２が設けられている。下方には、折胴２３と、縦折りされたウェブＷを横裁断する鋸胴２４が対向して配設されている。なお、三角板２２と折胴２３及び鋸胴２４との間には、一対のリードインローラ２５、一対のニッピングローラ２６、ガイドローラ２７、一対のニッピングローラ２８が設けられている。
【００３０】
折胴２３は、図１１に示すように、その周面に１８０度対向して針装置２９が設けられている。この各針装置２９は同様の構成をなし、折胴２３の軸方向に沿って設けられた針軸３０と、基端部がこの針軸３０に固定された針アーム３１と、この針アーム３１の先端部に固定された針３２とを有している。この針装置２６は、折胴２３の回転に連動して作動するものであり、所定の位置で、針アーム３１を介して針３２を外方に突出することで、ウェブＷの走行方向における先端部を保持することができ、所定の位置で、針アーム３１を介して針３２を戻すことで、ウェブＷの先端部の保持を解除することができる。
【００３１】
また、折胴２３は、その周面に１８０度対向して針装置２９とほぼ同じ位置に鋸刃受３３が設けられており、この鋸刃受３３は、一般に、ゴム等の弾性体により構成されている。一方、鋸胴２４は、その周面に１８０度対向して鋸刃３４が鋸台３５に支持されて設けられている。この場合、折胴２３と鋸胴２４は、同じ周速で同期回転することで、一定周期で鋸刃３４と鋸刃受３３が互いに対向するように、その回転位相が一致している。そのため、折胴２３と鋸胴２４が同期回転し、鋸刃３４と鋸刃受３３が対向して一致するときに、この鋸刃３４によりウェブＷを横裁断することができる。
【００３２】
更に、折胴２３は、その周面に１８０度対向して折ブレード３６が折軸３７に支持されて設けられており、折ブレード３６は、針装置２９とほぼ９０度位相がずれて位置している。この折ブレード３６は、後述するが、櫛状をなすように、幅方向に多数のブレード本体が一体に形成されて構成され、各ブレード本体の先端部がガイドプレート３８から外方に突出可能となっている。そして、折ブレード３６は、折軸３７により折胴２３と同期して逆方向に回転可能であり、所定の位置で、折ブレード３６の先端部が折胴２３（ガイドプレート３８）の周面から外方に突出することで、鋸刃３４により裁断されたウェブＷを折胴２３の周面から引き剥がすことができる。
【００３３】
折胴２３の下方には、一対の折込ローラ３９ａ，３９ｂが折胴２３と同期回転可能に設けられており、折胴２３の下方で各折込ローラ３９ａ，３９ｂの両側には、一対の紙ガイド４０が設けられている。この一対の折込ローラ３９ａ，３９ｂは、折ブレード３６により折胴２３の周面から突出したウェブＷを挟持することで、折帳Ｓを形成することができ、このとき、一対の紙ガイド４０は、折帳Ｓ（ウェブＷ）の後端部が暴れないようにガイドする。
【００３４】
折込ローラ３９ａ，３９ｂの下方には、羽根車４１が設けられると共に、この羽根車は４１の下方には、排紙コンベア４２が設けられている。羽根車は４１は、周方向に複数の羽根４３を有しており、折込ローラ３９ａ，３９ｂに同期して回転することで、一対の折込ローラ３９ａ，３９ｂにより形成された折帳Ｓを各羽根４３により順次受取って排紙コンベア４２上に受け渡すことができる。
【００３５】
従って、このよう構成された本実施例の新聞用オフセット輪転印刷機１０では、図９乃至図１１に示すように、まず、各給紙装置１１から印刷ユニット１２を構成する多色刷印刷ユニットと１６や２色刷印刷ユニットと１７にウェブＷが供給されると、各印刷ユニットと１６，１７では、各ウェブＷに対して４色刷や２色刷が行われる。次に、各印刷ユニット１６，１７で印刷が施された多数のウェブＷは、ターンバー装置１３にて、走行ルートが変更されると共に、所定の順番に重ね合わせられる。そして、折機１４では、ドラグローラ２１でガイドされたウェブＷが三角板２２により縦折りが施された後、リードインローラ２５、ニッピングローラ２６、ガイドローラ２７、ニッピングローラ２８により折胴２３に送られる。
【００３６】
縦折りされたウェブＷが折胴２３に至ると、所定の位置で、針装置２９が作動して針３２を外方に突出することで、ウェブＷの先端部を突き刺して保持する。この状態で、折胴２３が回転し続けると、ウェブＷは折胴２３の周面に保持されたまま移動する。そして、所定の位置で、鋸刃３４と鋸刃受３３が対向して一致すると、この鋸刃３４によりウェブＷが横裁断される。続いて、針装置２９が作動して針３２を戻すことで、ウェブＷの先端部の保持を解除すると共に、折ブレード３６が回動して先端部が折胴２３の周面から外方に突出することで、ウェブＷを折胴２３の周面から引き剥がす。
【００３７】
すると、折胴２３の周面から突出したウェブＷは、一対の折込ローラ３９ａ，３９ｂにより挟持されることで折帳Ｓが形成される。そして、この折込ローラ３９ａ，３９ｂにより形成された折帳Ｓは、羽根車４１の各羽根４３により順次受取られ、排紙コンベア４２上に受け渡す。
【００３８】
ところで、このような折機１４にあっては、折胴２３から折込ローラ３９ａ，３９ｂにウェブＷを受け渡すときに、このウェブＷの中間部は一対の折込ローラ３９ａ，３９ｂにより挟持されるものの、針装置２９の保持が解除されたウェブＷの先端部と、鋸胴２４により裁断されたウェブＷの後端部は、自由端となるためにばたつきが発生する。そのため、ウェブＷの各端部が折れた状態で一対の折込ローラ３９ａ，３９ｂ間を通過することがあり、この場合、折帳Ｓに端折れや皺が発生してしまう。また、折帳Ｓは、複数枚のウェブＷが重ねられた状態で形成されるものであり、多数重ねられて縦折されたウェブＷは、移送方向における一側部が袋状をなし、他側部はペラ状となっている。そのため、ウェブＷは、袋側とペラ状でその形態や厚さが異なることから、一対の折込ローラ３９ａ，３９ｂ間を通過する際の挙動が相違している。
【００３９】
そこで、本実施例では、図１に示すように、折胴２３に、折帳Ｓの袋側からペラ側に向けて軸方向に沿って所定の長さを有する外周面よりも凹んだ第１ガイド面５１を設けると共に、折帳Ｓのペラ側に周方向に沿って均一な円弧形状をなす第２ガイド面５２を、第１ガイド面５１に軸方向に連続して設けている。
【００４０】
ここで、折胴２３における第１ガイド面５１及び第２ガイド面５２、並びに折込ローラ３９ａ，３９ｂについて詳細に説明する。
【００４１】
折胴２３において、周方向における針装置２９及び鋸刃受３３と折ブレード３６との間には、第１ガイド面５１及び第２ガイド面５２が形成されており、この第１ガイド面５１及び第２ガイド面５２は、鋸刃受３３に隣接して設けられている。即ち、折胴２３の回転方向の上流側から、針装置２９、鋸刃受３３、第１ガイド面５１及び第２ガイド面５２、折ブレード３６が並んで位置することとなる。この場合、第１ガイド面５１は、折胴２３の外周面に対して凹んだ凹部形状をなし、第２ガイド面５２は、折胴の外周面と連続した円弧形状をなしている。そして、折胴２３の軸方向長さに対して、第２ガイド面５２の長さを１／３〜１／５程度設けることが望ましく、第２ガイド面５２の長さが短すぎると、十分に折帳Ｓをガイドすることができず、長すぎると、第１ガイド面５１によるガイドが不十分となる。
【００４２】
この第１ガイド面５１及び第２ガイド面５２にて、図１乃至図４に示すように、折胴２３には、その外周面に軸方向に沿って溝部５３が形成されており、この溝部５３には、折帳Ｓの袋側から中央部にかけた領域に対応して第１ガイド面５１が形成された第１ブロック体５４が嵌合し、複数の締結ボルト５５により固定されている。また、溝部５３には、折帳Ｓのペラ側の領域に対応して第２ガイド面５２が形成された第２ブロック体５６が嵌合し、複数の締結ボルト５７により固定されている。各ブロック体５４，５６には、貫通孔５４ａ，５６ａが形成されており、ブロック体５４，５６が溝部５１に嵌合した状態で、各締結ボルト５５，５７が各貫通孔５４ａ，５６ａを貫通して溝部５１の底部に螺合することで、ブロック体５４，５６が折胴２３に固定されることとなる。この場合、各ブロック体５４，５６は、対向する互いの端面が密着した状態で折胴２３に固定されることで、第１ガイド面５１と第２ガイド面５２が折胴２３の軸方向に連続して形成されることとなる。
【００４３】
一方、折込ローラ３９ａ，３９ｂにおいて、図１及び図５に示すように、軸方向における一端側の外周面には、折胴２３の外周面との距離を大きくすることで、折帳Ｓの移送方向の後端部のばたつきを抑制する第１切欠部６１ａ，６１ｂが形成されると共に、他端側の外周面に、第２切欠部６２ａ，６２ｂが形成されている。各切欠部６１ａ，６１ｂ，６２ａ，６２ｂは、外周面に一部を削除して平坦面を形成した形状となっている。そして、折込ローラ３９ａ，３９ｂにおける折帳Ｓの袋側に位置する第１切欠部６１ａ，６１ｂに、折込ローラ３９ａ，３９ｂの外周面より中心側に位置して外側に湾曲する第１湾曲部６３ａ，６３ｂが形成される一方、折込ローラ３９ａ，３９ｂにおける折帳Ｓのペラ側に位置する第２切欠部６２ａ，６２ｂに、折込ローラ３９ａ，３９ｂの外周面より中心側に位置して外側に湾曲する第２湾曲部６４ａ，６４ｂが形成されている。
【００４４】
また、折込ローラ３９ａ，３９ｂにおける折帳Ｓのペラ側に位置する第２切欠部６２ａ，６２ｂに、折込ローラ３９ａ，３９ｂの外周面と均一な円弧形状をなす第４ガイド面６５ａ，６５ｂが設けられている。この第４ガイド面６５ａ，６５ｂは、折胴２３の外周面との距離を小さくするものであり、第２切欠部６２ａ，６２ｂにおける折込ローラ３９ａ，３９ｂの軸方向中間位置に形成され、第２湾曲部６４ａ，６４ｂに連続して設けられている。
【００４５】
このように折胴２３及び折込ローラ３９ａ，３９ｂが形成されることで、折胴２３と一方の折込ローラ３９ａとの所定の回転位相にて、外周面の距離が軸方向で異なるものとなっている。即ち、図６に示すように、折胴２３の外周面と折込ローラ３９ａの外周面との距離をＬ0とすると、折帳Ｓの中央部にて、折胴２３の第１ガイド面５１と折込ローラ３９ａの外周面との距離Ｌ1は、距離Ｌ0より大きなものとなり、折帳Ｓの袋側にて、折胴２３の第１ガイド面５１と折込ローラ３９ａの第１湾曲部６３ａとの距離Ｌ2は、距離Ｌ1よりも大きなものとなる。また、折帳Ｓのペラ側にて、折胴２３の第２ガイド面５２と折込ローラ３９ａの第２湾曲部６４ａとの距離Ｌ3は、距離Ｌ1よりも小さなものとなり、折胴２３の第２ガイド面５２と折込ローラ３９ａの第４ガイド面６５ａとの距離Ｌ4は、距離Ｌ0よりも小さなものとなっている。この場合、距離Ｌ2＞距離Ｌ3であればよく、距離Ｌ1＞距離Ｌ3であることが好ましい。
【００４６】
ここで、上述した本実施例の新聞用オフセット輪転印刷機１０の折機１４における折胴２３及び折込ローラ３９ａ，３９ｂの作用について説明する。
【００４７】
図１１に示すように、縦折りされたウェブＷが折胴２３に至ると、所定の位置で針装置２９の針３２がウェブＷの先端部に突き刺さって折胴２３がウェブを保持し、この状態で折胴２３が回転して所定の位置に至ると、鋸刃３４がウェブＷを横裁断する。このとき、ウェブＷの先端部を保持していた針装置２９の針３２が戻ることで、ウェブＷの保持を解除した後、折胴２３の回転方向と逆方向に回転する折ブレード３６の先端部が折胴２３の周面から外方に突出し、ウェブＷの内面に接触してこれを折胴２３の外方に突き出す。
【００４８】
そして、折胴２３及び折ブレード３６が更に回転すると、折ブレード３６の先端部がウェブＷを更に外方に突出し、折胴２３の周面から突出したウェブＷが一対の折込ローラ３９ａ，３９ｂにより挟持される。一対の折込ローラ３９ａ，３９ｂが更に回転すると、ウェブＷが横折されることで折帳Ｓが形成される。
【００４９】
このとき、図７−１に示すように、一対の折込ローラ３９ａ，３９ｂにより横折りされて中央部が挟持された折帳Ｓは、先端部が針装置２９から解除される一方、後端部が鋸胴２４により裁断されて自由端となる。しかし、折帳Ｓにおける袋側では、折胴２３の外周面に対して凹んだ第１ガイド面５１により折込ローラ３９ａの上方スペースが広くなっているために空気乱流が抑制されると共に、折帳Ｓの後端部がこの第１ガイド面５１内に入り込んでガイドされるためにその挙動が安定する。そして、折胴２３及び折込ローラ３９ａ，３９ｂが更に回転すると、図７−２に示すように、折込ローラ３９ａの外周面よりも内側に位置する第１切欠部６１ａによりこの折込ローラ３９ａの上方スペースが広くなっており、折帳Ｓの後端部が第１湾曲部６３ａによりガイドされるためにそのばたつきが抑制される。
【００５０】
一方、図８−１に示すように、折帳Ｓにおけるペラ側では、折胴２３の外周面に対して周方向に均一な円弧形状をなす第２ガイド５２により折込ローラ３９ａの上方スペースが広くなっていないため、折帳Ｓの後端部がこの第２ガイド面５２により確実にガイドされることでその挙動が安定する。そして、折胴２３及び折込ローラ３９ａ，３９ｂが更に回転すると、図８−２に示すように、折込ローラ３９ａの外周面に対して周方向に均一な円弧形状をなす第４ガイド６５ａによりこの折込ローラ３９ａの上方スペースが広くなっていないため、折帳Ｓの後端部がこの第４ガイド６５ａによりガイドされるためにそのばたつきが抑制される。
【００５１】
このように折帳Ｓの後端部が自由端となってから一対の折込ローラ３９ａ，３９ｂに挟持されるまでの間、折帳Ｓの袋側では、ウェブＷ同士が纏まって所定の厚さを有しているため、折胴２３と折込ローラ３９ａとの距離を大きくして空気乱流を抑制すると共に、凹んだ第１ガイド面５１及び第１湾曲部６３ａ（第１切欠部６１ａ）により折帳Ｓの後端部を適正にガイドすることでその挙動を安定してばたつきを抑制することで、折帳Ｓの端折れが防止される。一方、折帳Ｓのペラ側では、ウェブＷ同士がばらばらの状態にあるため、折胴２３と折込ローラ３９ａとの距離を小さくして空気流を高速にすると共に、外周面と均一な第２ガイド面５２及び第４ガイド面６５ａにより折帳Ｓの後端部を適正にガイドすることでその挙動を安定してばたつきを抑制することで、折帳Ｓの端折れが防止される。
【００５２】
なお、この折込ローラ３９ａ，３９ｂにより適正に形成された折帳Ｓは、図１１に示すように、羽根車４１の各羽根４３により順次受取られ、排紙コンベア４２上に受け渡されて排紙される。
【００５３】
このように実施例１のウェブ折り畳み装置及び輪転印刷機にあっては、回転可能な折胴２３に対して、ウェブＷを裁断する鋸胴２４を設けると共に、ウェブＷを挟持して折帳Ｓを形成する一対の折込ローラ３９ａ，３９ｂを設け、折胴２３の外周面に、折帳Ｓの袋側からペラ側に向けて軸方向に沿って所定の長さを有する外周面よりも凹んだ第１ガイド面５１を設けると共に、折帳Ｓのペラ側に周方向に沿って均一な円弧形状をなす第２ガイド面５２を第１ガイド面５１に軸方向に連続して設けている。
【００５４】
従って、ウェブＷが折胴２３から一対の折込ローラ３９ａ，３９ｂに受け渡されて折帳Ｓが形成されるとき、この折帳Ｓの後端部における袋側は、第１ガイド面５１により折込ローラ３９ａの上方スペースが広くなっているために空気乱流が抑制されると共に、折帳Ｓの後端部が凹んだ第１ガイド面５１内に入り込んでガイドされるために挙動が安定し、一方、折帳Ｓの後端部におけるペラ側は、第２ガイド面５２により折込ローラ３９ａの上方スペースが広くなっておらず、折帳Ｓの後端部がこの第２ガイド面５２により確実にガイドされてばたつきが防止されることとなり、折帳Ｓの後端部の端折れを防止することができる。
【００５５】
また、実施例１のウェブ折り畳み装置では、一対の折込ローラ３９ａ，３９ｂにおける軸方向の各端側の外周面に、折胴２３の外周面との距離を大きくして折帳Ｓの移送方向の後端部のばたつきを抑制する第１、第２切欠部６１ａ，６１ｂ，６２ａ，６２ｂを設けると共に、折込ローラ３９ａ，３９ｂにおける折帳のペラ側に位置する第２切欠部６２ａ，６２ｂに、折胴２３の外周面との距離を小さくする第４ガイド面６５ａ，６５ｂを設けている。従って、ウェブＷが折胴２３から一対の折込ローラ３９ａ，３９ｂに受け渡されて折帳Ｓが形成されるとき、一対の折込ローラ３９ａ，３９ｂに形成された切欠部６１ａ，６１ｂ，６２ａ，６２ｂにより折帳Ｓの後端部のばたつきを抑制することができると共に、第４ガイド面６５ａ，６５ｂにより折込ローラ３９ａ，３９ｂの上方スペースを最適なものとすることができ、折帳Ｓの後端部を適正に支持してそのばたつきが防止され、折帳Ｓウェブの後端部の端折れを確実に防止することができる。
【００５６】
そして、この実施例１のウェブ折り畳み装置では、折胴２３に軸方向に沿って溝部５３を形成し、この溝部５３における折帳Ｓの袋側から中央部にかけて第１ガイド面５１を有する第１ブロック体５４を固定する一方、溝部５３における折帳Ｓのペラ側に第２ガイド面５２を有する第２ブロック体５６を固定している。従って、折胴２３に溝部５３を形成し、この溝部５３にブロック体５４，５６を固定することで、折胴２３の外周面に第１ガイド面５１及び第２ガイド面５２を容易に形成することができ、製作性を向上することができる。
【実施例２】
【００５７】
図１２は、本発明の実施例２に係るウェブ折り畳み装置における折胴と折込ロールの関係を表す概略図である。なお、前述した実施例で説明したものと同様の機能を有する部材には同一の符号を付して重複する説明は省略する。
【００５８】
実施例２のウェブ折り畳み装置において、図１２に示すように、折胴２３に、折帳Ｓの袋側からペラ側に向けて軸方向に沿って所定の長さを有する外周面よりも凹んだ第１ガイド面５１を設けると共に、折帳Ｓのペラ側に外周面よりも突出した第３ガイド面７１を、第１ガイド面５１に軸方向に連続して設けている。
【００５９】
即ち、折胴２３において、周方向における針装置２９及び鋸刃受３３と折ブレード３６との間には、第１ガイド面５１及び第３ガイド面７１が形成されており、この第１ガイド面５１及び第３ガイド面７１は、鋸刃受３３に隣接して設けられている。この場合、第１ガイド面５１は、折胴２３の外周面に対して凹んだ凹部形状をなし、第３ガイド面７１は、折胴の外周面よりも突出した円弧形状をなしている。
【００６０】
この第１ガイド面５１及び第３ガイド面７１にて、折胴２３には、その外周面に軸方向に沿って溝部５３が形成されており、この溝部５３には、折帳Ｓの袋側から中央部にかけた領域に対応して第１ガイド面５１が形成された第１ブロック体５４が嵌合して固定されている。また、溝部５３には、折帳Ｓのペラ側の領域に対応して第３ガイド面７１が形成された第２ブロック体７２が嵌合して固定されている。この場合、各ブロック体５４，７２は、対向する互いの端面が密着した状態で折胴２３に固定されることで、第１ガイド面５１と第３ガイド面８１が折胴２３の軸方向に連続して形成されることとなる。
【００６１】
このように折胴２３及び折込ローラ３９ａ，３９ｂが形成されることで、折胴２３と一方の折込ローラ３９ａとの所定の回転位相にて、外周面の距離が軸方向で異なるものとなっている。即ち、折帳Ｓの袋側にて、折胴２３の第１ガイド面５１と折込ローラ３９ａの第１湾曲部６３ａとの距離が大きく設定され、折帳Ｓのペラ側にて、折胴２３の第３ガイド面７１と折込ローラ３９ａの第４ガイド面６５ａとの距離が小さく設定されている。
【００６２】
従って、ウェブＷが折胴２３から一対の折込ローラ３９ａ，３９ｂに渡され、横折りされることで折帳Ｓが形成されるとき、折帳Ｓにおける袋側では、ウェブＷ同士が纏まって所定の厚さを有しているが、折胴２３の外周面に対して凹んだ第１ガイド面５１により折込ローラ３９ａの上方スペースが広くなっているために空気乱流が抑制されると共に、折帳Ｓの後端部がこの第１ガイド面５１内に入り込んでガイドされるためにその挙動が安定し、ばたつきが抑制される。
【００６３】
一方、折帳Ｓにおけるペラ側では、ウェブＷ同士がばらばらの状態にあるが、折胴２３の外周面に対して突出した第３ガイド７１により折込ローラ３９ａの上方スペースが狭くなっているため、折帳Ｓの後端部がこの第３ガイド面７１により確実にガイドされることでその挙動が安定し、ばたつきが抑制される。
【００６４】
このように実施例２のウェブ折り畳み装置及び輪転印刷機にあっては、回転可能な折胴２３に対して、ウェブＷを裁断する鋸胴２４を設けると共に、ウェブＷを挟持して折帳Ｓを形成する一対の折込ローラ３９ａ，３９ｂを設け、折胴２３の外周面に、折帳Ｓの袋側からペラ側に向けて軸方向に沿って所定の長さを有する外周面よりも凹んだ第１ガイド面５１を設けると共に、折帳Ｓのペラ側に外周面よりも突出した第３ガイド面７１を、第１ガイド面５１に軸方向に連続して設けている。
【００６５】
従って、ウェブＷが折胴２３から一対の折込ローラ３９ａ，３９ｂに受け渡されて折帳Ｓが形成されるとき、この折帳Ｓの後端部における袋側は、第１ガイド面５１により折込ローラ３９ａの上方スペースが広くなっているために空気乱流が抑制されると共に、折帳Ｓの後端部が凹んだ第１ガイド面５１内に入り込んでガイドされるために挙動が安定し、一方、折帳Ｓの後端部におけるペラ側は、第３ガイド面７１により折込ローラ３９ａの上方スペースが狭くなっているため、折帳Ｓの後端部がこの第３ガイド面７１により適正にガイドされてばたつきが防止されることとなり、折帳Ｓの後端部の端折れを防止することができる。
【００６６】
なお、上述した各実施例では、折胴２３に軸方向に沿って第１ガイド面５１と第２ガイド面５２、または、第３ガイド面７１を設けたが、第１ガイド面５１と第２ガイド面５２、または、第１ガイド面５１と第３ガイド面７１との間に傾斜面を設けて両者を軸方向に沿って滑らかに連続させるようにしてもよく、この場合、折胴２３の外周面に軸方向に沿って段差がなくなり、折帳２３を安定して支持することができる。
【産業上の利用可能性】
【００６７】
本発明に係るウェブ折り畳み装置及び輪転印刷機は、折帳における幅方向の全域にわたって挙動を安定させることで端折れを抑制するものであり、いずれの輪転印刷機にも適用することができる。
【図面の簡単な説明】
【００６８】
【図１】本発明の実施例１に係るウェブ折り畳み装置における折胴と折込ロールの関係を表す概略図である。
【図２】実施例１のウェブ折り畳み装置における折胴の概略斜視図である。
【図３】図２のIII−III断面図である。
【図４】図２のIV−IV断面図である。
【図５】実施例１のウェブ折り畳み装置における折込ロールの概略斜視図である。
【図６】実施例１のウェブ折り畳み装置における折胴と折込ロールとの距離を説明するための概略図である。
【図７−１】実施例１のウェブ折り畳み装置におけるウェブの袋側後端部の挙動を表す概略図である。
【図７−２】実施例１のウェブ折り畳み装置におけるウェブの袋側後端部の挙動を表す概略図である。
【図８−１】実施例１のウェブ折り畳み装置におけるウェブのペラ側後端部の挙動を表す概略図である。
【図８−２】実施例１のウェブ折り畳み装置におけるウェブのペラ側後端部の挙動を表す概略図である。
【図９】実施例１のウェブ折り畳み装置が適用された新聞用オフセット輪転印刷機を表す概略図である。
【図１０】実施例１のウェブ折り畳み装置を表す概略図である。
【図１１】実施例１のウェブ折り畳み装置の要部を表す概略図である。
【図１２】本発明の実施例２に係るウェブ折り畳み装置における折胴と折込ロールの関係を表す概略図である。
【符号の説明】
【００６９】
１１  給紙装置
１２  印刷ユニット
１３  ターンバー装置
１４  折機（ウェブ折り畳み装置）
２３  折胴
２４  鋸胴
２９  針装置
３３  鋸刃受
３４  鋸刃
３６  折ブレード
３７  折軸
３９ａ，３９ｂ  折込ローラ
４１  羽根車
５１  第１ガイド面
５２  第２ガイド面
５３  溝部
５４  第１ブロック体
５６  第２ブロック体
６１ａ，６１ｂ  第１切欠部
６２ａ，６２ｂ  第２切欠部
６３ａ，６３ｂ  第１湾曲部
６４ａ，６４ｂ  第２湾曲部
６５ａ，６５ｂ  第４ガイド面
７１  第３ガイド面
７２  第３ブロック体
Ｗ  ウェブ
Ｓ  折帳
【図１】
2008019090.tif 000003
【図２】
2008019090.tif 000004
【図３】
2008019090.tif 000005
【図４】
2008019090.tif 000006
【図５】
2008019090.tif 000007
【図６】
2008019090.tif 000008
【図７−１】
2008019090.tif 000009
【図７−２】
2008019090.tif 000010
【図８−１】
2008019090.tif 000011
【図８−２】
2008019090.tif 000012
【図９】
2008019090.tif 000013
【図１０】
2008019090.tif 000014
【図１１】
2008019090.tif 000015
【図１２】
2008019090.tif 000016